(57)【要約】      （修正有）【課題】刃型が貫通切り欠きを有する場合にも対応可能であり、刃型を簡単かつ確実にチェースに固定でき、さらにチェースに固定されている刃型を容易に取り外しでき、少数の刃型固定具であっても刃型を位置決めすることができ、かつ確実に刃型をチェースに固定することができる刃型固定具及び刃型装置を提供する。【解決手段】打ち抜き刃１１を有する刃型１０をチェース３０上に着脱自在に固定するための刃型固定具２０は、固定時に刃型の一部に係合し刃型のチェース面に沿った動きを抑止するための係止部２１と、固定時に刃型をチェースに押さえるための押さえ部２２と、係止部及び押さえ部と一体的に形成された支持部２３と、支持部の裏面に固着され固定時にチェースに磁着されるマグネット２４とを備えており、押さえ部は固定時にマグネットの磁着力によって刃型をチェースに押さえるように構成されており、係止部は押さえ部の一方の端から固定時にチェースに向かう方向に折り曲げて形成されている。【選択図】図１
0003196240.tif 000002
【実用新案登録請求の範囲】
【請求項１】
打ち抜き刃を有する刃型をチェース上に着脱自在に固定するための刃型固定具であって、固定時に前記刃型の一部に係合し該刃型の前記チェース面に沿った動きを抑止するための係止部と、固定時に前記刃型を前記チェースに押さえるための押さえ部と、前記係止部及び前記押さえ部と一体的に形成された支持部と、該支持部の裏面に固着され固定時に前記チェースに磁着されるマグネットとを備えており、前記押さえ部は固定時に前記マグネットの磁着力によって前記刃型を前記チェースに押さえるように構成されており、前記係止部は前記押さえ部の一方の端から固定時に前記チェースに向かう方向に折り曲げて形成されていることを特徴とする刃型固定具。
【請求項２】
前記支持部は、一端が前記押さえ部の他方の端に連続して形成されていると共に、横断面が略コ字形状となるように折り曲げられて形成されており、該支持部の他端近傍に前記マグネットが固着されていることを特徴とする請求項１に記載の刃型固定具。
【請求項３】
前記支持部は、固定時に前記マグネットが前記チェースに磁着した状態で、前記押さえ部により前記刃型を押圧する方向に付勢する弾性力を有していることを特徴とする請求項１又は２に記載の刃型固定具。
【請求項４】
前記支持部の両側には、前記マグネットが固着されず、指先を引っ掛けることが可能な引っ掛け部を備えていることを特徴とする請求項１から３のいずれか１項に記載の刃型固定具。
【請求項５】
前記チェース上での位置合わせを行うための位置合わせガイドをさらに備えていることを特徴とする請求項１から４のいずれか１項に記載の刃型固定具。
【請求項６】
打ち抜き刃を有する刃型と、請求項１から５のいずれか１項に記載の複数の前記刃型固定具とを備えており、前記刃型は、その外縁に、前記複数の刃型固定具の前記係止部がそれぞれ係合する複数の貫通切り欠き部を備えていることを特徴とする刃型装置。
【請求項７】
前記刃型固定具の前記係止部は、前記貫通切り欠き部の３つの側面にそれぞれ当接する左右側端及び前面を備えていることを特徴とする請求項６に記載の刃型装置。
【請求項８】
打ち抜き刃を有する刃型と、請求項１から５のいずれか１項に記載の複数の前記刃型固定具とを備えており、前記刃型は、その外縁近傍に、前記複数の刃型固定具の前記係止部がそれぞれ係合する複数の溝孔部を備えていることを特徴とする刃型装置。
【考案の詳細な説明】
【技術分野】
【０００１】
本考案は、紙やフィルム等のシート状基材を打ち抜く場合に用いられる刃型を固定するための刃型固定具及びこの刃型固定具によって固定される刃型を有する刃型装置に関する。
【背景技術】
【０００２】
例えばシール、ラベル、又はステッカー等の印刷物を製造する場合、紙やフィルム等のシート状基材に印刷を施し、この印刷済みのシート状基材を刃型で所望の形状に打ち抜くことが行われる。ここで用いられる刃型は、通常、シール製造機の打ち抜きユニットを構成するチェース上に固定され、打ち抜き刃の刃先がシート状基材に対向するように、チェースと共にシール製造機に取り付けられて使用される。
【０００３】
打ち抜きに用いる刃型は、製造すべき印刷物に最適な寸法及び形状を有するものがその都度選択されてチェース上に固定される。刃型をチェース上に固定する方法としては、刃型の裏面に両面テープを貼付けるか接着剤を塗布することにより、刃型をチェース上の所定の位置に固着することが一般的である。
【０００４】
特許文献１には、この種の刃型をチェースに固定する方法として、チェースと同寸法の刃台に、刃型を位置合わせしてから押さえ板とネジとを用いて固定し、さらにこの刃台とチェースとをネジで固定する方法が記載されている。
【０００５】
しかしながら、両面テープや接着剤を用いる一般的な方法では、刃型交換の際に刃型を簡単に取り外すことができなかった。取り外すためには、刃型とチェース間にスクレーパーを差し込むか、溶剤で両面テープの接着層や接着剤を溶解させる等してチェースと刃型とを分離させなくてはならず、非常に手間がかかるものであった。また、このようにしてチェースから刃型を取り外すことから刃型が損傷しやすいという問題もあった。
【０００６】
さらに、チェース上の間違った位置に刃型を接着してしまった場合には、一旦、刃型をチェースから取り外し、刃型の裏面やチェース表面に付着している両面テープの接着層や接着剤をきれいに除去した後、チェース上の正しい位置に再度接着しなければならなかった。
【０００７】
特許文献１に記載の固定方法によると、刃台と刃型とを押さえ板とネジを用いて固定した後、さらに刃台とチェースとをネジで固定する必要があることから、刃型の固定にも取り外しにも工具が必要であり、多大な手間がかかっていた。
【０００８】
これら従来技術の問題点を解決するために、本出願人は、刃型をチェース上に容易に固定することができ、かつ簡単に取り外しすることができる刃型固定具を提案している（特許文献２）。
【０００９】
この特許文献２に記載の刃型固定具は、刃型の外縁部の少なくとも一部と係合する係止部と、係止部と同一の薄板によって一体的に形成された支持部と、支持部の裏面の一部に固着され、磁性体で構成されるチェースに磁着可能なマグネットとを備えている。係止部と支持部とは側面視直線状に形成されており、支持部には裏面のうちマグネットが固着されず指先を引っ掛けることができるように構成された自由端部が設けられている。刃型の外縁部は少なくとも一部に側面視段状に形成された切り欠きを備え、刃型固定具の係止部は切り欠きに嵌合する形状を有している。
【先行技術文献】
【特許文献】
【００１０】
【特許文献１】特許第２６５７６０９号公報
【特許文献２】特許第５０００００７号公報
【考案の概要】
【考案が解決しようとする課題】
【００１１】
特許文献２に記載の刃型固定具によれば、工具や接着剤を使用せずに刃型を簡単かつ迅速にチェース上に固定することができ、刃型を傷めずにチェース上に固定された刃型を簡単かつ迅速に取り外すことができる。この刃型固定具は、刃型に側面視段状の切り欠きが設けられている場合に、その係止部が切り欠きに嵌合して刃型を押圧するので、刃型はチェース上に確実に固定される。しかしながら、刃型の切り欠きが側面視段状の切り欠きではなく、凹状平面を有する貫通切り欠きである場合には、その係止部によって刃型を押圧することができず、チェース上への刃型の固定を全く行うことができなかった。
【００１２】
従って、本考案は従来技術の上述した問題点を解消するものであり、本考案の目的は、刃型が貫通切り欠きを有する場合にも対応可能であり、刃型を簡単かつ確実にチェースに固定でき、さらにチェースに固定されている刃型を容易に取り外しできる刃型固定具及び刃型装置を提供することにある。
【００１３】
本考案の他の目的は、少数の刃型固定具であっても刃型を位置決めすることができ、かつ確実に刃型をチェースに固定することができる刃型固定具及び刃型装置を提供することにある。
【課題を解決するための手段】
【００１４】
本考案によれば、打ち抜き刃を有する刃型をチェース上に着脱自在に固定するための刃型固定具は、固定時に刃型の一部に係合し刃型のチェース面に沿った動きを抑止するための係止部と、固定時に刃型をチェースに押さえるための押さえ部と、係止部及び押さえ部と一体的に形成された支持部と、支持部の裏面に固着され固定時にチェースに磁着されるマグネットとを備えており、押さえ部は固定時にマグネットの磁着力によって刃型をチェースに押さえるように構成されており、係止部は押さえ部の一方の端から固定時にチェースに向かう方向に折り曲げて形成されている。
【００１５】
係止部は、押さえ部の一方の端から、刃型固定具による刃型のチェースへの固定時にチェースに向かう方向に折り曲げて形成されており、この係止部が刃型の一部に係合し刃型のチェース面に沿った動きを抑止する。押さえ部は固定時にマグネットの磁着力によって刃型をチェースに押さえる。このマグネットは係止部及び押さえ部と一体的に形成された支持部の裏面に固着されている。これにより、刃型が貫通切り欠きを有する場合にも対応可能であり、刃型を簡単かつ確実にチェースに固定でき、さらにチェースに固定されている刃型を容易に取り外しすることができる。また、少数の刃型固定具であっても刃型を位置決めでき、かつ確実にチェースに固定することができる。
【００１６】
支持部は、一端が押さえ部の他方の端に連続して形成されていると共に、横断面が略コ字形状となるように折り曲げられて形成されており、この支持部の他端近傍にマグネットが固着されていることが好ましい。
【００１７】
支持部は、固定時にマグネットがチェースに磁着した状態で、押さえ部により刃型を押圧する方向に付勢する弾性力を有していることも好ましい。これにより、刃型をより確実にチェースに固定することができる。
【００１８】
支持部の両側には、マグネットが固着されず、指先を引っ掛けることが可能な引っ掛け部を備えていることも好ましい。これにより、チェースに固定されている刃型を容易に取り外しできる。
【００１９】
チェース上での位置合わせを行うための位置合わせガイドをさらに備えていることも好ましい。これにより、刃型の位置決めが容易にできる。
【００２０】
本考案によれば、さらに、打ち抜き刃を有する刃型と、上述した複数の刃型固定具とを備えており、刃型は、その外縁に、複数の刃型固定具の係止部がそれぞれ係合する複数の貫通切り欠き部を備えている刃型装置が提供される。
【００２１】
この場合、刃型固定具の係止部は、貫通切り欠き部の３つの側面にそれぞれ当接する左右側端及び前面を備えていることが好ましい。
【００２２】
本考案によれば、さらにまた、打ち抜き刃を有する刃型と、上述した複数の刃型固定具とを備えており、刃型は、その外縁近傍に、複数の刃型固定具の係止部がそれぞれ係合する複数の溝孔部を備えている刃型装置が提供される。
【考案の効果】
【００２３】
本考案によれば、刃型が貫通切り欠きを有する場合にも対応可能であり、刃型を簡単かつ確実にチェースに固定でき、さらにチェースに固定されている刃型を容易に取り外しすることができる。また、少数の刃型固定具であっても刃型を位置決めでき、かつ確実にチェースに固定することができる。
【図面の簡単な説明】
【００２４】
【図１】本考案の第１の実施形態における刃型装置の構成を概略的に示す分解斜視図である。
【図２】第１の実施形態の刃型装置において刃型が固定されている状態を示す斜視図である。
【図３】第１の実施形態の刃型装置において刃型が固定されている状態を示す、図１のＡ−Ａ線断面図である。
【図４】第１の実施形態の刃型装置における刃型固定具の構成を概略的に示す側面図及び底面図である。
【図５】本考案の第２の実施形態における刃型装置の構成を概略的に示す分解斜視図である。
【図６】第２の実施形態の刃型装置において刃型が固定されている状態を示す、図５のＢ−Ｂ線断面図である。
【図７】本考案の第３の実施形態における刃型装置の構成を概略的に示す分解斜視図である。
【図８】第２の実施形態の刃型装置における刃型固定具の第１の変更態様を概略的に示す斜視図である。
【図９】第２の実施形態の刃型装置における刃型固定具の第２の変更態様を概略的に示す斜視図である。
【考案を実施するための形態】
【００２５】
以下、本考案に係る刃型装置の実施形態を、図を参照して説明する。
【００２６】
図１は本考案の第１の実施形態における刃型装置１００の構成を示しており、図２はこの刃型装置１００において刃型が固定されている状態を示しており、図３は刃型装置１００において刃型が固定されている状態を局部断面（図１のＡ−Ａ線断面）で示しており、図４は刃型装置１００における刃型固定具２０の構成を示している。図４における（ａ）は刃型固定具２０の側面を示しており、（ｂ）は刃型固定具２０の底面を示している。
【００２７】
図１〜図４に示すように、本実施形態における刃型装置１００は、打ち抜き刃１１を有する刃型１０と、刃型１０をチェース３０に固定する４つの刃型固定具２０とを備えている。刃型１０は、４つの刃型固定具２０によりチェース３０に着脱自在に固定可能となっている。
【００２８】
刃型１０は、打ち抜き刃１１と、刃台１２とから構成されている。打ち抜き刃１１は、成形品の外周縁に対応する形状に形成された抜き刃である。刃台１２は、単層若しくは複数層の樹脂板、又は単層若しくは複数層の樹脂板と木材板若しくは金属板とを積層して構成され、打ち抜き刃１１を固定的に支持するものである。図示の例では、刃台１２は、例えば、ベニヤ板の両側に薄いアクリル板を積層して構成されている。この刃台１２の４つの辺の外縁中央部にそれぞれ貫通切り欠き部１３が設けられている。
【００２９】
刃型固定具２０は、固定時に刃台１２の貫通切り欠き部１３と係合し、刃台１２のチェース３０の面に沿った動きを抑止する係止部２１と、固定時に刃型１０をチェース３０に押さえる押さえ部２２と、係止部２１及び押さえ部２２と一体的に形成された支持部２３と、支持部２３の裏面に固着され固定時にチェース３０に磁着されるマグネット２４と、刃型固定具２０をチェース３０から取り外す際に指先を引っ掛けるための引っ掛け部２５とを備えている。係止部２１、押さえ部２２及び支持部２３は、１枚の金属板（例えば鋼板）を切断加工及び折り曲げ加工して形成されている。マグネット２４をチェース３０に磁着することにより刃型１０がチェース３０に固定される。
【００３０】
係止部２１は押さえ部２２の一端の一部に（所定長の突出部として）連続し、固定時にチェース３０に向かう方向（図１〜図３及び図４（ａ）において下方向）にこの部分で略９０度折り曲げて形成されており、押さえ部２２の他端は支持部２３の一端の一部（所定長の突出部として）に連続して形成されている。支持部２３はその横断面が略コ字形状となるように下方向に略１８０度折り曲げられて形成されている。本実施形態において、支持部２３は、押さえ部２２と同一平面（側面視直線状）となる上片２３ａと、この上片２３ａの他端の一部に（所定長の突出部として）折り曲げ部２３ｃを介して連続して形成され、上片２３ａにほぼ平行な下片２３ｂとから形成されている。この上片２３ａの一端の一部に押さえ部２２の一端が連続している。下片２３ｂの下面には、マグネット２４の固着部２７が形成されている。
【００３１】
刃型１０をチェース３０に固定するには、刃型固定具２０の係止部２１を刃台１２の貫通切り欠き部１３に嵌合させ、マグネット２４をチェース３０に磁着させる。その際、係止部２１の前面２１ａ（図４）が貫通切り欠き部１３の貫通切り欠き部１３の前側面１３ａ（図３）に当接し、左右の側端２１ｂ（図４）が貫通切り欠き部１３の両側面１３ｂ（図３）に当接するように構成されている。また、係止部２１の下方への突出長は、刃型１０の厚みより短くすることが望ましい。さらに、係止部２１の下方先端の両角部はアール形状に面取りされている。これにより、刃型１０を取り外す際に、刃型固定具２０を容易に取り外すことが可能となる。
【００３２】
押さえ部２２は、上述したように、その一端の一部が係止部２１に（所定長の突出部として）連続している。この押さえ部２２は、係止部２１を刃台１２の貫通切り欠き部１３に嵌合させた際に、その刃台１２の上面に当接してこれをチェース３０方向に押圧するように構成されている。この場合の押圧力は、マグネット２４のチェース３０への磁着力と、支持部２３の弾性力によって発生する。
【００３３】
マグネット２４は、支持部２３の下片２３ｂの下面に設けられた固着部２７に、例えばネジＳにより固着されている。チェース３０と接するマグネット２４の底面は樹脂層で覆われている。マグネット２４の底面に樹脂層を設けることで、着脱際にチェース３０の表面を傷つけることを防止できる。
【００３４】
引っ掛け部２５は、支持部２３の上片２３ａの両側のマグネット２４が固着されていない位置に設けられている。この引っ掛け部２５は、支持部２３の上片２３ａと同一平面上に連続して一体的に形成されている。なお、引っ掛け部２５は、指先が引っ掛け易いようにその両端部を上方へ折り曲げて傾斜状態に形成しても良い。
【００３５】
刃型固定具２０において、マグネット２４の底面から押さえ部２２の下面までの高さは、刃台１２の厚みよりわずかに小さくすることが好ましい。これにより、刃台１２をチェース３０に固定する際に、押さえ部２２が刃台１２を押圧する方向に付勢する弾性力を発生させることができ、刃台１２を従って刃型１０をチェース３０に確実に固定することができる。
【００３６】
なお、刃型固定具２０には、刃型１０のチェース３０上での位置合わせを容易にするための位置合わせガイド２６を設けることができる。本実施形態において、位置合わせガイド２６は、刃型固定具２０の係止部２１を刃台１２の貫通切り欠き部１３に嵌合させた際に、刃型１０をチェース３０上の所定の位置、即ちチェース３０の中心に合わせることができる位置に設けられる。本実施形態においては、刃台１２の貫通切り欠き部１３が各辺の中央に設けられていることから、刃型固定具２０の位置合わせガイド２６も、係止部２１の中央に対応する位置に設けられている。位置合わせガイド２６は、例えば、図４（ｂ）に示すように、支持部２０の折り曲げ部２０ｃの中央に切り欠きを設けることで構成されている。
【００３７】
本実施形態に係る刃型装置１００を使用する際には、刃型１０をチェース３０上に載置した後、刃型固定具２０によって刃型１０を固定する。即ち、４つの刃型固定具２０の係止部２１を刃台１２の４つの貫通切り欠き部１３にそれぞれ嵌合させると共にこれら４つの刃型固定具２０のマグネット２４をそれぞれチェース３０上に磁着させる。これによって、各係止部２１の前面２１ａ及び左右の側端２１ｂが刃台１２の貫通切り欠き部１３の前側面１３ａ及び両側面１３ｂにそれぞれ当接するので、刃台１２のチェース３０の面に沿った動きが抑止され、さらに、各押さえ部２２により刃台１２がチェース３０表面に押さえられるため、刃型１３は確実に固定される。刃型１０をチェース３０に固定する際に、刃型固定具２０に備えられた位置合わせガイド２６をチェース３０上の中央位置ガイド（センタートンボ）に合わせることにより、刃型１０の位置合わせを簡単に行うことができる。
【００３８】
チェース３０上に固定された刃型１０を取り外す際には、４つの刃型固定具２０のマグネット２４とチェース３０との磁着をそれぞれ解消すること、即ち、チェース３０から各刃型固定具２０を指でつまんで持ち上げる等により簡単に取り外すことができる。その際、各刃型固定具２０の一方の引っ掛け部２５の裏面に指先を引掛けて支持部２３を持ち上げ、他方の引っ掛け部２５の表面を指でチェース３０方向に押すことによりマグネット２４の端部を支点として支持部２３を回転させれば、マグネット２４をチェース３０から容易に持ち上げることができ、チェース３０上に固定された刃型固定具２０を簡単に取り外すことができる。
【００３９】
以上詳細に説明したように本実施形態の刃型装置１００は、打ち抜き刃１１を有する刃型１０と、刃型１０をチェース３０に固定する４つの刃型固定具２０とを備えている。刃型１０の刃台１２の各辺の外縁中央部にはそれぞれ貫通切り欠き部１３が設けられている。刃型固定具２０は、係止部２１と、押さえ部２２と、支持部２３と、マグネット２４と、引っ掛け部２５とを備え、係止部２１を貫通切り欠き部１３に嵌合させ、マグネット２４をチェース３０に磁着させることにより刃型１０をチェース３０に固定するように構成されている。これにより、貫通切り欠きを有する刃型に対応可能であり、刃型１０を簡単かつ確実にチェース３０に固定でき、チェース３０に固定されている刃型１０を容易に取り外しできる。また、少数（例えば２つ）の刃型固定具２０でも刃型１０を位置決めし、固定することができる。さらに、刃台１２が樹脂板や金属板の単層構造の場合に貫通切り欠き部を設ければ良く、側面視段状に形成された切り欠きを形成する必要がなくなるため、このような側面視段状切り欠きを作成する製造コストを抑えることができる。なお、本実施形態の刃型固定具２０は、このような側面視段状切り欠きを有する刃型にも適用することができる。
【００４０】
図５は本考案の第２の実施形態における刃型装置２００の構成を示しており、図６はこの刃型装置２００において刃型が固定されている状態を局部断面（図５のＢ−Ｂ線断面）で示している。
【００４１】
図５及び図６に示すように、本実施形態における刃型装置２００は、打ち抜き刃１１を有する刃型１０Ａと、刃型１０Ａをチェース３０に固定する４つの刃型固定具２０とを備えている。刃型１０Ａは、４つの刃型固定具２０によりチェース３０に着脱自在に固定可能となっている。この刃型装置２００において、刃型固定具２０は、上述した第１の実施形態の刃型装置１００と同様な構成を有しているため、その詳細説明を省略する。
【００４２】
刃型１０Ａは、打ち抜き刃１１と、刃台１２Ａとから構成されている。打ち抜き刃１１は、成形品の外周縁に対応する形状に形成された抜き刃である。刃台１２Ａは、単層若しくは複数層の樹脂板、又は単層若しくは複数層の樹脂板と木材板若しくは金属板とを積層して構成され、打ち抜き刃１１を固定的に支持するものである。図示の例では、刃台１２Ａは、例えば、ベニヤ板の両側に薄いアクリル板を積層してから構成されている。この刃台１２Ａの４つの辺の外縁近傍の中央部には、それぞれ溝孔部１３Ａが設けられている。溝孔部１３Ａは、貫通又は非貫通のスリット状の溝孔であり、その幅は刃型固定具２０の係止部２１の厚みにほぼ等しく、長さは刃型固定具２０の係止部２１の横幅にほぼ等しい。
【００４３】
本実施形態に係る刃型装置２００を使用する際には、刃型１０Ａをチェース３０上に載置した後、刃型固定具２０によって刃型１０Ａを固定する。即ち、４つの刃型固定具２０の係止部２１を刃台１２の４つの溝孔部１３Ａにそれぞれ嵌合させると共にこれら４つの刃型固定具２０のマグネット２４をそれぞれチェース３０上に磁着させる。これによって、各係止部２１の前面２１ａ、左右の側端２１ｂ及び後面が刃台１２Ａの溝孔部１３Ａの４つの側面にそれぞれ当接するので、刃台１２Ａのチェース３０の面に沿った動きが抑止され、さらに、各押さえ部２２により刃台１２Ａがチェース３０表面に押さえられるため、刃型１０Ａは確実に固定される。刃型１０Ａをチェース３０に固定する際に、刃型固定具２０に備えられた位置合わせガイド２６をチェース３０上の中央位置ガイド（センタートンボ）に合わせることにより、刃型１０Ａの位置合わせを簡単に行うことができる。
【００４４】
以上詳細に説明したように本実施形態の刃型装置２００は、溝孔部１３Ａ以外は、上述した第１の実施形態の刃型装置１００と同様な構成を有しているため、この刃型装置１００と同様な効果が得られると共に、係止部２１の前面、左右の側端及び後面が溝孔部１３Ａの４つの側面に当接し、位置決めすることで、少数（例えば２つ）の刃型固定具２０でも刃型１０Ａを位置決めかつ確実にチェース３０に固定することができる。
【００４５】
図７は本考案の第３の実施形態における刃型装置３００の構成を示している。図７に示すように、本実施形態における刃型装置３００は、打ち抜き刃１１を有する刃型１０Ｂと、刃型１０Ｂをチェース３０に固定する４つの刃型固定具２０Ａとを備えている。刃型１０Ｂは、４つの刃型固定具２０Ａによりチェース３０に着脱自在に固定可能となっている。
【００４６】
刃型固定具２０Ａは、固定時に刃台１２Ｂの溝孔部１３Ｂと係合し、刃台１２Ｂのチェース３０の面に沿った動きを抑止する係止部２１Ａと、固定時に刃型１０Ｂをチェース３０に押さえる押さえ部２２Ａと、係止部２１Ａ及び押さえ部２２Ａと一体的に形成された支持部２３と、支持部２３の裏面に固着され固定時にチェース３０に磁着されるマグネット２４と、刃型固定具２０Ａをチェース３０から取り外す際に指先を引っ掛けるための引っ掛け部２５とを備えている。係止部２１Ａ、押さえ部２２Ａ及び支持部２３は、１枚の金属板（例えば鋼板）を切断加工及び折り曲げ加工して形成されている。マグネット２４をチェース３０に磁着することにより刃型１０Ｂがチェース３０に固定される。
【００４７】
係止部２１Ａは押さえ部２２Ａの一端の全長にわたって連続し、固定時にチェース３０に向かう方向（図７において下方向）にこの部分で略９０度折り曲げて形成されており、押さえ部２２Ａの他端は支持部２３の一端の一部（所定長の突出部として）に連続して形成されている。このように本実施形態においては、係止部２１Ａと押さえ部２２Ａとが同じ長さの横幅を有している。係止部２１Ａ及び押さえ部２２Ａを除く刃型固定具２０Ａのその他の構成は、上述した第１の実施形態の刃型固定具２０と同様な構成を有しているため、その詳細説明を省略する。
【００４８】
刃型１０Ｂは、打ち抜き刃１１と、刃台１２Ｂとから構成されている。打ち抜き刃１１は、成形品の外周縁に対応する形状に形成された抜き刃である。刃台１２Ｂは、単層若しくは複数層の樹脂板、又は単層若しくは複数層の樹脂板と木材板若しくは金属板とを積層して構成され、打ち抜き刃１１を固定的に支持するものである。図示の例では、刃台１２Ｂは、例えば、ベニヤ板の両側に薄いアクリル板を積層してから構成されている。この刃台１２Ｂの４つの辺の外縁近傍の中央部にそれぞれ溝孔部１３Ｂが設けられている。溝孔部１３Ｂは、貫通又は非貫通のスリット状の溝孔であり、その幅は刃型固定具２０Ａの係止部２１Ａの厚みにほぼ等しく、長さは刃型固定具２０Ａの係止部２１Ａの横幅にほぼ等しい。従って、本実施形態においては、溝孔部１３Ｂは、その長さが第２の実施形態における溝孔部１３Ａの場合より長くなるように構成されており、これに嵌合する刃型固定具２０Ａの係止部２１Ａは、その横幅が第２の実施形態における係止部２１の場合より長くなるように構成されている。
【００４９】
本実施形態に係る刃型装置３００を使用する際には、刃型１０Ｂをチェース３０上に載置した後、刃型固定具２０Ａによって刃型１０Ｂを固定する。即ち、４つの刃型固定具２０Ａの係止部２１Ａを刃台１２Ｂの４つの溝孔部１３Ｂにそれぞれ嵌合させると共にこれら４つの刃型固定具２０Ａのマグネット２４をそれぞれチェース３０上に磁着させる。これによって、各係止部２１Ａの前面、左右の側端及び後面が刃台１２Ｂの溝孔部１３Ｂの４つの側面にそれぞれ当接するので、刃台１２Ｂのチェース３０の面に沿った動きが抑止され、さらに、各押さえ部２２Ａにより刃台１２Ｂがチェース３０表面に押さえられるため、刃型１０Ｂは確実に固定される。刃型１０Ｂをチェース３０に固定する際に、刃型固定具２０Ａに備えられた位置合わせガイド２６をチェース３０上の中央位置ガイド（センタートンボ）に合わせることにより、刃型１０Ｂの位置合わせを簡単に行うことができる。
【００５０】
以上詳細に説明したように本実施形態に係る刃型装置３００は、溝孔部１３Ｂ、係止部２１Ａ及び押さえ部２２Ａ以外は、上述した第２の実施形態の刃型装置２００と同様な構成を有しているため、この刃型装置２００と同様な効果が得られる。また、係止部２１Ａの幅が広いため、刃型１０Ｂをより確実に位置決め及び固定することができる。
【００５１】
図８は第２の実施形態の刃型装置における刃型固定具の第１の変更態様を示している。本変更態様における刃型１０Ａの構成は、第２の実施形態の場合と同様である。
【００５２】
図８に示すように、本変更態様における刃型固定具２０Ｂは、固定時に刃台１２Ａの溝孔部１３Ａと係合し、刃台１２Ａのチェースの面に沿った動きを抑止する係止部２１Ｂと、固定時に刃型をチェースに押さえる押さえ部２２Ｂと、係止部２１Ｂ及び押さえ部２２Ｂと一体的に形成された支持部２３と、支持部２３の裏面に固着され固定時にチェースに磁着されるマグネット２４と、刃型固定具２０Ｂをチェース３０から取り外す際に指先を引っ掛けるための引っ掛け部２５とを備えている。係止部２１Ｂ、押さえ部２２Ｂ及び支持部２３は、１枚の金属板（例えば鋼板）を切断加工及び折り曲げ加工して形成されている。マグネット２４をチェース３０に磁着することにより刃型１０Ａがチェース３０に固定される。
【００５３】
係止部２１Ｂは押さえ部２２Ｂの一端の全長にわたって連続し、固定時にチェース３０に向かう方向（図８において下方向）にこの部分で略９０度折り曲げて形成されており、押さえ部２２Ｂの他端は支持部２３の一端の一部（所定長の突出部として）に連続して形成されている。このように本変更態様においては、係止部２１Ｂと押さえ部２２Ｂとが同じ長さの横幅を有している。係止部２１Ｂ及び押さえ部２２Ｂを除く刃型固定具２０Ｂのその他の構成は、上述した第１の実施形態の刃型固定具２０と同様な構成を有しているため、その詳細説明を省略する。
【００５４】
この変更態様において、係止部２１Ｂ及び押さえ部２２Ｂの横幅は、刃台１２Ａの溝孔部１３Ａの長さにほぼ等しい。即ち、この変更態様においては、溝孔部１３Ａの長さが第３の実施形態における溝孔部１３Ｂの場合より短くなるように構成されており、従ってこれに嵌合する刃型固定具２０Ｂの係止部２１Ｂの横幅が第２の実施形態における係止部２１Ａの場合より短くなるように構成されている。
【００５５】
この変更態様に係る刃型固定具２０Ｂを用いる場合は、上述した第２の実施形態の刃型装置２００と同様な効果が得られる。
【００５６】
図９は第２の実施形態の刃型装置における刃型固定具の第２の変更態様を示している。本変更態様における刃型１０Ｃの構成は、第２の実施形態の場合と同様である。
【００５７】
図９に示すように、本変更態様における刃型固定具２０Ｃは、固定時に刃台１２Ｃの溝孔部１３Ｃと係合し、刃台１２Ｃのチェースの面に沿った動きを抑止する係止部２１Ｃと、固定時に刃型１０Ｃをチェースに押さえる押さえ部２２Ｃと、係止部２１Ｃ及び押さえ部２２Ｃと一体的に形成された支持部２３と、支持部２３の裏面に固着され固定時にチェースに磁着されるマグネット２４と、刃型固定具２０Ｃをチェース３０から取り外す際に指先を引っ掛けるための引っ掛け部２５とを備えている。係止部２１Ｃ、押さえ部２２Ｃ及び支持部２３は、１枚の金属板（例えば鋼板）を切断加工及び折り曲げ加工して形成されている。マグネット２４をチェース３０に磁着することにより刃型１０Ｃがチェース３０に固定される。
【００５８】
係止部２１Ｃは押さえ部２２Ｃの一端の全長にわたって連続し、固定時にチェース３０に向かう方向（図９において下方向）にこの部分で略９０度折り曲げて形成されている。押さえ部２２Ｃの他端は、立ち上がり部２８を介して支持部２３の一端の一部（所定長の突出部として）に連続して形成されている。立ち上がり部２８の一端は支持部２３一端の一部の位置でチェース３０とは反対方向（図９において上方向）に略９０度折り曲げられて形成されており、立ち上がり部２８の他端はこの部分で水平方向に略９０度折り曲げられて押さえ部２２Ｃに連続している。この変更態様においては、係止部２１Ｃと押さえ部２２Ｃと立ち上がり部２８とが同じ長さの横幅を有している。係止部２１Ｃ、押さえ部２２Ｃ及び立ち上がり部２８を除く刃型固定具２０Ｃのその他の構成は、上述した第１の実施形態の刃型固定具２０と同様な構成を有しているため、その詳細説明を省略する。
【００５９】
このように、刃型固定具２０Ｃにおいて、立ち上がり部２８を設けることで、比較的厚い刃台１２Ｃを有する刃型１０Ｃに対しても適合することができる。その際、刃台１２Ｃの厚さに応じて立ち上がり部２８の立ち上がり高さを調整する。
【００６０】
本変更態様に係る刃型固定具２０Ｃを用いる場合は、上述した第２の実施形態の刃型装置２００と同様な効果が得られる。また、比較的厚い刃台１２Ｃを有する刃型１０Ｃを確実に位置決めし、固定することができる。
【００６１】
また、上述した本考案における実施形態の刃型装置１００、２００及び３００において、刃型１０、１０Ａ、１０Ｂ及び１０Ｃには１つの打ち抜き刃１１を有する例を説明したが、本考案はこれに限定されるものではない。複数の打ち抜き刃を有する刃型を用いても良い。
【００６２】
さらにまた、上述した本考案における実施形態の刃型装置１００、２００及び３００において、４つの刃型固定具２０を有する例を説明したが、本考案はこれに限定されるものではない。５つ以上の刃型固定具を用いる場合、その数に応じた貫通切り欠き部又は溝孔部を設ける必要がある。
【００６３】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【産業上の利用可能性】
【００６４】
本考案は、印刷されたラベル、シール等の印刷物を、その単位印刷物毎に打ち抜く場合に用いられる刃型装置に利用できる。
【符号の説明】
【００６５】
１０、１０Ａ、１０Ｂ、１０Ｃ  刃型
１１  打ち抜き刃
１２、１２Ａ、１２Ｂ、１２Ｃ  刃台
１３  貫通切り欠き部
１３ａ  前側面
１３ｂ  両側面
１３Ａ、１３Ｂ、１３Ｃ  溝孔部
２０、２０Ａ、２０Ｂ、２０Ｃ  刃型固定具
２１  係止部
２１ａ  前面
２１ｂ  側端
２２  押さえ部
２３  支持部
２３ａ  上片
２３ｂ  下片
２３ｃ  折り曲げ部
２４  マグネット
２５  引っ掛け部
２６  位置合わせガイド
２７  固着部
２８  立ち上がり部
３０  チェース
１００、２００、３００  刃型装置
【図１】
0003196240.tif 000003
【図２】
0003196240.tif 000004
【図３】
0003196240.tif 000005
【図４】
0003196240.tif 000006
【図５】
0003196240.tif 000007
【図６】
0003196240.tif 000008
【図７】
0003196240.tif 000009
【図８】
0003196240.tif 000010
【図９】
0003196240.tif 000011